(57)【特許請求の範囲】
【請求項１】
高圧送電路の途中に接触子を回転自在に設け、同接触子を電動で回転させる回転機構を設け、回転機構によって接触子を回転させて高圧送電路を開閉できるようにした高圧送電用回転断路器において、前記回転機構が、接触子の中間にこれを回転させる主軸を垂直に設け、同主軸の下端に動力を切り離し自在にできる連結部を介してウォームギヤのギヤ軸を取り付け、同ウォームギヤと歯合するウォームをモータの出力軸と連結し、主軸の途中に主軸を手動で回転させるハンドルを脱着自在に取り付けるハンドル取付部を設け、しかもハンドル取付部が主軸の外周に複数の孔を有する板状の固定板からなり、ハンドルの一端を略Ｕ字状に形成し、同略Ｕ字状の先端左右に前記固定板の孔と同調する突起をそれぞれ設け、ハンドルを固定板の孔に突起を差し込んで固定し、連結部を切り離してハンドルを回動させることにより主軸を手動で回転できるようにしたことを特徴とする高圧送電用回転断路器。
【請求項２】
連結部が、ギヤ軸の上端に主軸の下端を挿入できる凹所を設け、同凹所に主軸を挿入し、ギヤ軸の凹所及び主軸の挿入部分に貫通孔を挿入方向と直交する方向にそれぞれ連通するように形成し、同貫通孔に連結ピンを脱着自在に挿通したものである請求項１記載の高圧送電用回転断路器。
【請求項３】
連結部に連結ピンを被覆するカバーを脱着自在に設け、電動回転時に連結ピンが脱落しないようにした請求項２記載の高圧送電用回転断路器。
【請求項４】
ハンドル取付部の近傍に一端を支点として回転する被覆板を設け、同被覆板が電動回転時はハンドル取付部の固定板の孔を覆う位置に回転し、手動回転時は固定板から離れた位置に回転するようにした請求項１〜３いずれか記載の高圧送電用回転断路器。
【発明の詳細な説明】
【０００１】
【発明の属する技術分野】
本発明は、高圧電力を送電する変電所等で送電路の開閉を行うための回転断路器の駆動構造に関する。
【０００２】
【従来の技術】
従来の高圧送電用回転断路器の接触子の操作方式は圧縮空気やソレノイド、電動があり、その中でも電動式の構造としては、モータの出力軸を平ギヤを介して接触子を回転させる主軸に連結した構成が多い。
ところで、平ギヤを介する構成ではモータが作動していない状態でも外部から押力が作用すると主軸が不用意に回転してしまうため、別途主軸を固定する電磁ロック等のロック手段を設ける必要があった。従って装置が大型化、複雑化して高コストになっていた。
【０００３】
【発明が解決しようとする課題】
本発明が解決しようとする課題は、従来のこれらの問題点を解消し、断路器の回転する接触子の操作後の状態を特段のロック手段を用いることなく維持でき、小型化、軽量化を図ることができる安価、低コストの高圧送電用回転断路器を提供することにある。
【０００４】
【課題を解決するための手段】
かかる課題を解決した本発明の構成は、
１）  高圧送電路の途中に接触子を回転自在に設け、同接触子を電動で回転させる回転機構を設け、回転機構によって接触子を回転させて高圧送電路を開閉できるようにした高圧送電用回転断路器において、前記回転機構が、接触子の中間にこれを回転させる主軸を垂直に設け、同主軸の下端に動力を切り離し自在にできる連結部を介してウォームギヤのギヤ軸を取り付け、同ウォームギヤと歯合するウォームをモータの出力軸と連結し、主軸の途中に主軸を手動で回転させるハンドルを脱着自在に取り付けるハンドル取付部を設け、しかもハンドル取付部が主軸の外周に複数の孔を有する板状の固定板からなり、ハンドルの一端を略Ｕ字状に形成し、同略Ｕ字状の先端左右に前記固定板の孔と同調する突起をそれぞれ設け、ハンドルを固定板の孔に突起を差し込んで固定し、連結部を切り離してハンドルを回動させることにより主軸を手動で回転できるようにしたことを特徴とする高圧送電用回転断路器
２）  連結部が、ギヤ軸の上端に主軸の下端を挿入できる凹所を設け、同凹所に主軸を挿入し、ギヤ軸の凹所及び主軸の挿入部分に貫通孔を挿入方向と直交する方向にそれぞれ連通するように形成し、同貫通孔に連結ピンを脱着自在に挿通したものである前記１）記載の高圧送電用回転断路器
３）  連結部に連結ピンを被覆するカバーを脱着自在に設け、電動回転時に連結ピンが脱落しないようにした前記２）記載の高圧送電用回転断路器
４）  ハンドル取付部の近傍に一端を支点として回転する被覆板を設け、同被覆板が電動回転時はハンドル取付部の固定板の孔を覆う位置に回転し、手動回転時は固定板から離れた位置に回転するようにした前記１）〜３）いずれか記載の高圧送電用回転断路器
にある。
【０００５】
【作用】
本発明の請求項１記載の構成では、電動操作においてモータを作動させると駆動力がウォーム及びウォームギヤを介して主軸に伝達し、接触子が回転することで送電路が電動で開閉される。開閉操作後すなわちモータ停止後はウォーム及びウォームギヤにより主軸はセルフロックがかかった状態となるため、特段のロック手段を設ける必要がなく、外力が作用しても動き難い。手動操作においては連結部で主軸へのモータの駆動力を遮断し、ハンドルをハンドル取付部に固定して回動し、接触子を回転させることにより送電路が手動で開閉される。
しかも、ハンドル先端部の突起を固定板の孔に差し込んで固定し、所定方向に回動させることで主軸が手動で回転する。
本発明の請求項２記載の構成では、連結ピンを貫通孔に挿通した状態では主軸及びギヤ軸が連結され、モータの駆動力が主軸に伝達される。連結ピンを貫通孔から引き抜いた状態では主軸及びギヤ軸が分離し、モータの駆動力が遮断される。
本発明の請求項３記載の構成では、電動回転時は連結ピンが挿通した状態でカバーで被覆され脱落しない。手動回転時はカバーを外して連結ピンを引き抜くことができるようにする。
本発明の請求項４記載の構成では、電動回転時はハンドル取付部の固定板を被覆板で覆い、ハンドルを固定できないようにして手動操作を不能にする。手動回転時は被覆板を固定板から離れた位置に回転させ、ハンドルを固定できるようにして手動操作を可能にする。
【０００６】
【発明の実施の形態】
被覆板はハンドル取付部の固定板の孔に同調する位置に孔を設け、それぞれ連通させた孔にロックピンを挿通し、機械的にロックできるようにすることもできる。
【０００７】
【実施例】
以下、本発明の実施例を図面に基づいて説明する。
図１は、実施例の断路器の外観図である。
図２は、実施例の断路器の内部の説明図である。
図３は、実施例の断路器の内部の部分拡大説明図である。
図４は、実施例のハンドル取付部の平面からみた説明図である。
図５は、実施例のハンドル取付部の側面からみた説明図である。
【０００８】
図中、１は接触子、１ａは固定接触子、２は主軸、３はモータ部、３ａはモータ、３ｂはモータ３ａの出力軸、４はウォーム部、４ａはモータ３ａの出力軸３ｃに取り付けたウォーム、４ｂはウォーム４ａと歯合するウォームギヤ、４ｃはウォームギヤ４ｂのギヤ軸、５は連結部、５ａは主軸２の下端を挿入するための凹所、５ｂは連結ピン、５ｃは連結ピン５ｂの脱落を防止するカバー、６は手動操作用のハンドルを固定するための固定板、６ａはハンドルと嵌合固定するための孔、７は被覆板、７ａは主軸２の逃げとなる凹部、７ｂは孔、７ｃは支点、８は被覆板７を所定位置に固定するピンを差し込むためのピン差し込み部、８ａはその差し込み用のピン、９はハンドル、９ａは固定板６と略同じ半径を有するＵ字状の先端部、９ｂは固定板６の孔６ａに嵌合する突起、１０はケーシング、１１は補助開閉器、１２は磁気近接スイッチ、１２ａは磁気近接スイッチ１２のスイッチ部、１２ｂは磁気近接スイッチ１２の磁気部、１３は主軸２を支持する軸受ベアリング、１４は手動時安全スイッチ、１５は配線用遮断器、１６はナイフスイッチ、１７，１８は端子台、１９は配線用遮断器、２０はＵ字ヒータ、２１は端子台、２２は電磁開閉器である。
【０００９】
本実施例では、まず電動操作について説明する。閉の動作について説明すると、図示しない配電盤操作開閉器を入に操作すると、電磁開閉器２２が動作して自己保持を形成すると同時にモータ部３の操作回路が形成され、モータ３ａが回転を始める。モータ３ａの駆動力が出力軸３ｂに取り付けたウォーム４ａ及びウォームギヤ４ｂを介して主軸２に伝達し、接触子１が回転して送電路（図示せず）が閉路される。
又、動作完了時点では磁気近接スイッチ１２が動作し、制御回路及び操作回路をそれぞれ遮断し、モータ部３の電機子が閉回路となりモータ３ａに制動をかけて停止させる。
以上が電動操作の工程で、開の指令の場合も同様の動作を行う。
【００１０】
続いて、手動操作について説明する。まず図４（ａ）及び図５（ａ）に示すようにピン８ａを引き抜き、被覆板７を図４（ｂ）及び図５（ｂ）に示すピン差し込み部８より右側に回転させ、ピン８ａをピン差し込み部８に差し込んで被覆板７を固定する。このとき、制御電源のＮ側がロックされ図示しない配電盤からの操作はできなくなり、誤動作による危険を防止できるようにしている。
次に、図３に示すように連結部５のカバー５ｃを上方に持ち上げ、連結ピン５ｂを引き抜く。なお、連結ピン５ｂが抜けない場合はモータ３ａの出力軸３ｂを半回転程度回すことにより軽く抜くことができる。このことにより、主軸２はギヤ軸４ｃと切り離され、モータ３ａの駆動力が遮断される。
そして、図４（ｃ）及び図５（ｃ）に示すようにハンドル９をその先端部９ａの突起９ｂを固定板６の孔６ａに差し込んで固定し、およそ１９０°回動させることにより開閉操作を行うことができる。手動操作終了後はピン８ａを引き抜いて被覆板７を元の位置に戻し、再びピン８ａをピン差し込み部８に差し込む。
【００１１】
図４（ｄ）及び図５（ｄ）に示しているのは手動機械ロック機構で、ピン８ａを引き抜いて被覆板７を更に回転させ、固定板６の孔６ａ及び被覆板７の孔７ｂにピン８ａを挿通することにより主軸２をロックするもので、他の関連作業等により機械的ロックをかける必要が生じた場合に成される。
【００１２】
このように、本実施例ではモータの駆動力をウォーム及びウォームギヤを順に介して主軸に伝達するようにしたから、外部から押力が作用してもウォームギヤがモータ側のウォームでロックされ、主軸が不用意に動くことがない。よって、別途ロック手段を必要としないため、構造を簡単にすることができて装置の小型化及び軽量化が図れ、安価、低コストにて構成できる。
【００１３】
【発明の効果】
以上説明したように、本発明によれば断路器の回転する接触子の操作後の状態を特段のロック手段を用いることなく維持でき、小型化、軽量化を図ることができる高圧送電用回転断路器を安価、低コストで提供できる。
【図面の簡単な説明】
【図１】実施例の断路器の外観図である。
【図２】実施例の断路器の内部の説明図である。
【図３】実施例の断路器の内部の部分拡大説明図である。
【図４】実施例のハンドル取付部の平面からみた説明図である。
【図５】実施例のハンドル取付部の側面からみた説明図である。
【符号の説明】
１  接触子
１ａ  固定接触子
２  主軸
３  モータ部
３ａ  モータ
３ｂ  出力軸
４  ウォーム部
４ａ  ウォーム
４ｂ  ウォームギヤ
４ｃ  ギヤ軸
５  連結部
５ａ  凹所
５ｂ  連結ピン
５ｃ  カバー
６  固定板
６ａ  孔
７  被覆板
７ａ  凹部
７ｂ  孔
７ｃ  支点
８  ピン差し込み部
８ａ  ピン
９  ハンドル
９ａ  先端部
９ｂ  突起
１０  ケーシング
１１  補助開閉器
１２  磁気近接スイッチ
１２ａ  スイッチ部
１２ｂ  磁気部
１３  軸受ベアリング
１４  手動時安全スイッチ
１５  配線用遮断器
１６  ナイフスイッチ
１７，１８  端子台
１９  配線用遮断器
２０  Ｕ字ヒータ
２１  端子台
２２  電磁開閉器
【図１】
0003684170.tif 000002
【図２】
0003684170.tif 000003
【図３】
0003684170.tif 000004
【図４】
0003684170.tif 000005
【図５】
0003684170.tif 000006